(57)【要約】【課題】パケットを転送するパケット通信装置に関し、ポーズパケットによるトラフィック増加を抑制する。【解決手段】複数の下位回線５を接続した回線パッケージ３−１，３−２と、上位回線４を接続した制御パッケージ１とを含むパケット通信装置であって、回線パッケージは、輻輳発生通知及び輻輳解除通知のポーズパケットを生成して送出する下位回線対応のインタフェース変換部と、このインタフェース変換部の輻輳発生通知及び輻輳解除通知のポーズパケットを検出した検出信号を制御信号線１０−１，１０−２により制御パッケージ１に送出するポーズパケット検出部と、下位回線５対応のパケットの多重化及び多重分離を行う多重／分離部とを含む構成を有し、制御パッケージ１は、ポーズパケット検出部から制御信号線を介して受信した検出信号に従って輻輳発生のインタフェース変換部に対するパケットの転送を中止する優先制御部６を含む構成を備えている。【選択図】図１
2009094971.tif 000002
【特許請求の範囲】
【請求項１】
複数の下位回線を接続した回線パッケージと、上位回線を接続した制御パッケージとを含み、前記複数の下位回線からのパケットを多重化して前記上位回線に送出し、該上位回線からの多重化パケットを受信して多重分離し、宛先対応の前記下位回線に送出するパケット通信装置に於いて、
前記回線パッケージは、輻輳発生通知及び輻輳解除通知のポーズパケットを生成して送出する前記下位回線対応のインタフェース変換部と、該インタフェース変換部の輻輳発生通知及び輻輳解除通知のポーズパケットを検出した検出信号を制御信号線により前記制御パッケージに送出するポーズパケット検出部と、前記下位回線対応のパケットの多重化及び多重分離を行う多重／分離部とを含む構成を有し、
前記制御パッケージは、前記ポーズパケット検出部から前記制御信号線を介して受信した検出信号に従って輻輳発生の前記インタフェース変換部に対するパケットの転送を中止する優先制御部を含む構成を有する
ことを特徴とするパケット通信装置。
【請求項２】
前記ポーズパケット検出部は、前記インタフェース変換部からの輻輳発生通知及び輻輳解除通知のポーズパケットの送出元情報を含む検出信号を、前記制御パッケージの前記優先制御部に制御信号線を介して転送すると共に、前記ポーズパケットを廃棄する構成を有することを特徴とする請求項１記載のパケット通信装置。
【請求項３】
前記制御パッケージの優先制御部は、パケットの優先順位を設定した回線単位ＱｏＳ機能部を備え、前記ポーズパケット検出部からの輻輳発生通知のポーズパケットの検出信号により、前記回線単位ＱｏＳ機能部を参照して、該ポーズパケットの送出元のインタフェース変換部に対する優先順位の低いパケットの転送を中止し、輻輳解除通知のポーズパケットの検出信号により、優先順位の高いパケットから転送開始を行う構成を有することを特徴とする請求項１記載のパケット通信装置。
【請求項４】
前記制御パッケージの優先制御部は、パケットの転送先のＶＬＡＮ対応の優先順位をＶＬＡＮＩＤにより設定した回線単位ＱｏＳ機能部を備え、前記ポーズパケット検出部からの輻輳発生通知のポーズパケットの検出信号により、前記回線単位ＱｏＳ機能部を参照して、該ポーズパケットの送出元のインタフェース変換部に転送するパケットのＶＬＡＮＩＤにより転送中止か否かの制御を行う構成を有することを特徴とする請求項１記載のパケット通信装置。
【発明の詳細な説明】
【技術分野】
【０００１】
本発明は、スループットの異なる回線を含む複数の回線を収容し、それぞれの回線からのパケットを多重化して高速回線へ送出し、且つ高速回線からの多重化パケットを受信して多重分離し、宛先対応の回線にパケットを送出するパケット通信装置に関する。
【背景技術】
【０００２】
複数の回線や端末装置等からのパケットをそれぞれ受信して多重化し、高速回線に多重化パケットを送出し、且つ高速回線から受信した多重化パケットを多重分離し、それぞれのパケットを宛先対応の回線や端末装置等へ送出するパケット通信装置に於いて、低速側の各回線のスループットが同一の場合は、例えば、ＭＩＩ（Ｍｅｄｉａ  Ｉｎｄｅｐｅｎｄｅｎｔ  Ｉｎｔｅｒｆａｃｅ）や、ＧＭＩＩ（Ｇｉｇａｂｉｔ  Ｍｅｄｉａ  Ｉｎｄｅｐｅｎｄｅｎｔ  Ｉｎｔｅｒｆａｃｅ）等の固定スループットのインタフェースにより送受信する構成が適用されている。又スループットの異なる回線を含む複数の回線を収容して、各回線からのパケットを多重化して高速回線に送出し、高速回線から受信した多重化パケットを多重分離し、各パケットの宛先対応の回線に分配するパケット通信装置も知られている。
【０００３】
図４は、従来例のパケット通信装置の説明図であり、４１は制御パッケージ、４２はバックワイヤリングボード（ＢＷＢ）、４３−１，４３−２は回線パッケージ、４４は上位回線、４５は下位回線、４６は制御部、４７−１，４７−２は多重／分離部、４８−１１〜４８−１ｎ，４８−２１〜４８−２ｎはインタフェース変換部を示す。制御パッケージ４１は、制御部４６を含む構成を有し、制御部４６は、上位回線４４を介して多重化パケットの送受信を行い、上位回線４４を介して受信した多重化パケットを、宛先対応の回線パッケージ４３−１，４３−２に分配し、又回線パッケージ４３−１，４３−２からの多重化パケットを更に多重化して上位回線４４に送出する機能を有するものである。又回線パッケージ４３−１，４３−２は、バックワイヤリングボード４２を介して制御パッケージ４１と接続され、多重／分離部４７−１，４７−２とインタフェース変換部４８−１１〜４８−１ｎ，４８−２１〜４８−２ｎとを含む構成を有し、多重／分離部４７−１，４７−２は、インタフェース変換部４８−１１〜４８−１ｎ，４８−２１〜４８−２ｎ対応に多重分離して矢印で示すように転送し、インタフェース変換部４８−１１〜４８−１ｎ，４８−２１〜４８−２ｎから下位回線４５にパケットを送出する。又下位回線４５からのパケットを、インタフェース変換部４８−１１〜４８−１ｎ，４８−２１〜４８−２ｎにより受信し、多重／分離部４７−１，４７−２により多重化し、バックワイヤリングボード４２を介して制御パッケージ４１に転送し、その制御パッケージ４１の制御部４６を介して上位回線４４へ多重化パケットを送出する。
【０００４】
又インタフェース変換部４８−１１〜４８−１ｎ，４８−２１〜４８−２ｎは、図示を省略したパケットの一時保持用のバッファメモリやその蓄積量の監視手段を含むものであり、多重／分離部４７−１，４７−２により多重分離され、パケットの送信先としての下位回線４５対応に転送されたパケットをバッファメモリに一時的に保持し、下位回線４５側の速度に従ってバッファメモリからパケットを順次読出して下位回線４５に送出する。その時に、バッファメモリに一時的に保持されたパケットの蓄積量を監視手段により監視し、オーバーフローする蓄積量となる前の所定値となると、制御パッケージ４１の制御部４６に対して、輻輳発生通知としてポーズ（Ｐａｕｓｅ）パケットを形成して転送する。例えば、インタフェース変換部４８−１１のバッファメモリに多重分離されたパケットが一時的に保持されて、順次下位回線４５に送出され、そのバッファメモリのパケット蓄積量が所定値を超える輻輳状態となると、ポーズパケットを制御部４６に矢印で示すように送出する。それにより、制御部４６は、輻輳発生通知のポーズパケットを送出したインタフェース変換部４８−１１を有する回線パッケージ４３−１に対して、多重化パケットの送出を、×印で示すように、停止する。それによって、インタフェース変換部４８−１１のバッファメモリのオーバーフローによるパケットの廃棄を回避することができる。
【０００５】
又複数のパケット通信装置をそれぞれ複数回線で接続したシステムに於いて、回線対応のバッファメモリに蓄積されているパケット数をカウントして輻輳状況を判断し、輻輳発生と判断すると、送信パケットの輻輳通知領域に輻輳情報を付加して送信し、又受信パケットの輻輳通知領域に輻輳情報が付加されている場合は、輻輳発生を通知したパケット通信装置宛のパケットの送出回線を変更し、特定の回線にパケットが集中して伝送されないように制御し、又複数回線のそれぞれが輻輳発生状態の場合、パケットの送出を一時停止する手段が提案されている（例えば、特許文献１参照）。
【０００６】
又可変速度でパケットを伝送するパケット伝送網に於ける輻輳回避手段として、輻輳予測通知を受信した場合、パケット伝送速度を上昇させている過程に於いては、パケット伝送速度を低減し、パケット伝送速度を上昇させていない時は、自装置による輻輳予測は関係がないと判断して、そのままのパケット伝送速度を維持するパケット伝送制御手段が提案されている（例えば、特許文献２参照）。又可変速度のパケット伝送網に於いて、通信開始の直前からダミーパケットの送出を行い、有効情報パケット送出速度の上昇により、ダミーパケットの送出速度を低下させるように制御して、バッファメモリの容量を必要最小限とすることを可能とした手段が提案されている（例えば、特許文献３参照）。
【０００７】
又制御パッケージとバックワイヤリングボードを介して複数の回線パッケージとを接続し、制御パッケージに多重／分離部を設けて、上位回線からの多重化パケットの一次多重分離を行って複数の回線パッケージにバックワイヤリングボードを介して転送し、回線パッケージに於いて二次多重分離を行って宛先対応に複数の下位回線にパケットを送出し、又複数の下位回線からのパケットを回線パッケージに於いて二次多重化して、バックワイヤリングボードを介して制御パッケージに転送し、制御パッケージの多重／分離部により一次多重化した多重化パケットを上位回線に送出するパケット通信装置に於いて、輻輳発生等の障害発生検出により、複数の下位回線の中の低優先回線を利用して、高優先回線のパケットを回線パッケージ間に迂回転送し、輻輳発生時等のパケット廃棄を回避する手段が提案されている（例えば、特許文献４参照）。
【特許文献１】特開平７−３０３１１４号公報
【特許文献２】特開平７−６６８３７号公報
【特許文献３】特開平７−９５２３８号公報
【特許文献４】特開２００６−１８６９２４号公報
【発明の開示】
【発明が解決しようとする課題】
【０００８】
従来例のパケット通信装置は、例えば、図４を参照して説明したように、回線パッケージ４３−１，４３−２のインタフェース変換部４８−１１〜４８−１ｎ，４８−２１〜４８−２ｎに於ける輻輳発生検出によりポーズパケットを生成して制御パッケージ４１に送出し、制御パッケージ４１は、ポーズパケットを送出した回線パッケージを識別して、その回線パッケージに送出するパケットを停止するものであり、回線パッケージ対応にパケットの転送中止を行うから、輻輳発生状態ではないインタフェース変換部に対するパケットの転送も中止され、広範囲にわたるサービス低下となる問題がある。又インタフェース変換部の輻輳発生通知のポーズパケットは、回線パッケージ４３−１，４３−２と制御パッケージ４１との間の主信号転送経路の中の制御パッケージ４１方向の転送経路には、多重化パケットと共に転送されることになり、その主信号転送経路のトラフィック増加の要因となる問題がある。又多重化パケットは、優先度の異なるパケットが多重化される場合があり、インタフェース変換部の輻輳状態に対して、高優先度パケットも低優先度のパケットと共に転送中止となり、サービス低下となる問題がある。このような問題点については、前述の特許文献１〜３には開示されておらず、又前述の特許文献４に於いては、回線パッケージ間に迂回経路を設定可能とし、高優先度パケットを迂回経路で転送する手段が示されているが、構成及び制御が複雑となる問題がある。
【０００９】
本発明は、前述の従来例の問題点を解決するもので、多重化パケットの転送経路のトラヒックを圧迫することなく、ポーズパケットにより輻輳発生を通知し、且つパケットの優先度等を基に輻輳発生時の優先制御を可能とすることを目的とする。
【課題を解決するための手段】
【００１０】
本発明のパケット通信装置は、複数の下位回線を接続した回線パッケージと、上位回線を接続した制御パッケージとを含み、複数の下位回線からのパケットを多重化して上位回線に送出し、この上位回線からの多重化パケットを受信して多重分離し、宛先対応の下位回線に送出するパケット通信装置であって、回線パッケージは、輻輳発生通知及び輻輳解除通知のポーズパケットを生成して送出する下位回線対応のインタフェース変換部と、このインタフェース変換部の輻輳発生通知及び輻輳解除通知のポーズパケットを検出した検出信号を制御信号線により制御パッケージに送出するポーズパケット検出部と、下位回線対応のパケットの多重化及び多重分離を行う多重／分離部とを含む構成を有し、制御パッケージは、ポーズパケット検出部から制御信号線を介して受信した検出信号に従って輻輳発生のインタフェース変換部に対するパケットの転送を中止する優先制御部を含む構成を備えている。
【００１１】
又前記ポーズパケット検出部は、インタフェース変換部からの輻輳発生通知及び輻輳解除通知のポーズパケットの送出元情報を含む検出信号を、制御パッケージの優先制御部に制御信号線を介して転送すると共に、インタフェース変換部からのポーズパケットを廃棄する構成を有するものである。
【００１２】
又前記制御パッケージの優先制御部は、パケットの優先順位を設定した回線単位ＱｏＳ機能部を備え、ポーズパケット検出部からの輻輳発生通知のポーズパケットの検出信号により、回線単位ＱｏＳ機能部を参照して、ポーズパケットの送出元のインタフェース変換部に対する優先順位の低いパケットの転送を中止し、輻輳解除通知のポーズパケットの検出信号により、優先順位の高いパケットから転送開始を行う構成を備えることができる。
【００１３】
又前記制御パッケージの優先制御部は、パケットの転送先のＶＬＡＮ対応の優先順位をＶＬＡＮＩＤにより設定した回線単位ＱｏＳ機能部を備え、ポーズパケット検出部からの輻輳発生通知のポーズパケットの検出信号により、回線単位ＱｏＳ機能部を参照して、そのポーズパケットの送出元のインタフェース変換部に転送するパケットのＶＬＡＮＩＤにより転送中止か否かの制御を行う構成を備えることができる。
【発明の効果】
【００１４】
回線パッケージのインタフェース変換部と多重／分離部との間に、ポーズパケット検出部を設けて、輻輳発生通知又は輻輳解除通知のポーズパケットを検出して、制御パッケージの優先制御部に通知すると共に、ポーズパケットを廃棄するものであるから、回線パッケージと制御パッケージとの間のバックワイヤリングボードを介してポーズパケットを転送しないので、バックワイヤリングボードを介して制御パッケージへの主信号の多重化パケットの転送トラフィック圧迫を回避することができる。又優先制御部に、優先順位を設定して、優先順位の低いパケットや優先順位の低いＶＬＡＮＩＤのパケットを輻輳発生時に転送中止とし、優先順位の高いパケットを優先して転送することが可能となり、輻輳発生時のサービス低下を最小限に抑えることができる利点がある。
【発明を実施するための最良の形態】
【００１５】
本発明のパケット通信装置は、図１を参照すると、複数の下位回線５を接続した回線パッケージ３−１，３−２と、上位回線４を接続した制御パッケージ１とを含み、複数の下位回線５からのパケットを多重化して上位回線４に送出し、この上位回線４からの多重化パケットを受信して多重分離し、宛先対応の下位回線５に送出するパケット通信装置であって、回線パッケージ３−１，３−２は、輻輳発生通知及び輻輳解除通知のポーズパケットを生成して送出する下位回線対応のインタフェース変換部８−１１〜８−１ｎ，８−２１〜８−２ｎと、このインタフェース変換部の輻輳発生通知及び輻輳解除通知のポーズパケットを検出した検出信号を制御信号線１０−１，１０−２により制御パッケージ１に送出するポーズパケット検出部９−１１〜９−１ｎ，９−２１〜９−２ｎと、下位回線５対応のパケットの多重化及び多重分離を行う多重／分離部７−１，７−２とを含む構成を有し、制御パッケージ１は、ポーズパケット検出部から制御信号線１０−１，１０−２を介して受信した検出信号に従って輻輳発生のインタフェース変換部に対するパケットのみの転送を中止する優先制御部６を含む構成を備えている。
【実施例１】
【００１６】
図１は、本発明の実施例１の説明図であり、１は制御パッケージ、２はバックワイヤリングボード（ＢＷＢ）、３−１，３−２は回線パッケージ、４は上位回線、５は下位回線、６は優先制御部、７−１，７−２は多重／分離部、８−１１〜８−１ｎ，８−２１〜８−２ｎはインタフェース変換部，９−１１〜９−１ｎ，９−２１〜９−２ｎはポーズパケット検出部、１０−１，１０−２は制御信号線を示す。上位回線４と複数の下位回線５との間の制御パッケージ１とバックワイヤリングボード２を介して接続された回線パッケージ３−１，３−２によるパケット転送は、従来例と同様であり、又インタフェース変換部８−１１〜８−１ｎ，８−２１〜８−２ｎは、図示を省略したバッファメモリを有すると共に、バッファメモリのパケットの蓄積量を監視し、所定量以上のパケット蓄積量の増加を検出すると、輻輳発生と判断して輻輳発生通知のポーズパケットを生成して送出し、その後、所定量以下にパケット蓄積量が減少した時は、輻輳解除通知のポーズパケットを生成して送出する監視手段を含む構成を有するものである。このような監視手段は、既に知られている各種のバッファメモリの輻輳状態監視手段を適用することができる。
【００１７】
又インタフェース変換部８−１１〜８−１ｎ，８−２１〜８−２ｎと多重／分離部７−１，７−２との間に、ポーズパケット検出部９−１１〜９−１ｎ，９−２１〜９−２ｎを設ける。各ポーズパケット検出部９−１１〜９−１ｎ，９−２１〜９−２ｎは、通常のデータパケットを通過させるが、輻輳発生通知及び輻輳解除通知のポーズパケットを、通常のパケットと区別して検出する機能と、この検出機能によりポーズパケットを検出した時に、ポーズパケットの送出元情報を含む検出信号を出力する機能と、検出信号を制御パッケージ１の優先制御部６へ制御信号線１０−１，１０−２を介して送出する機能と、輻輳発生通知及び輻輳解除通知のポーズパケットの検出後、そのポーズパケットを廃棄する機能とを含むものである。このようなポーズパケット検出機能は、パケット種別判断機能によって容易に実現することができる。例えば、インタフェース変換部８−１１に於いて、バッファメモリのパケット蓄積量が増加して輻輳発生と判断し、輻輳発生通知のポーズパケットを形成して送出すると、これをポーズパケット検出部９−１１に於いて検出した後、そのポーズパケットを廃棄すると共に、ポーズパケットの送出元のインタフェース変換部８−１１を示す送出元情報を含む輻輳発生通知の検出信号を制御パッケージ１の優先制御部６へ制御信号線１０−１を介して転送する。なお、ポーズパケット検出部９−１１〜９−１ｎ，９−２１〜９−２ｎは、ポーズパケットを検出して、その検出信号を制御パッケージ１の優先制御部６へ制御信号線１０−１，１０−２を介して転送し、ポーズパケットも多重／分離部７−１，７−２へ転送し、この多重／分離部７−１，７−２に於いて廃棄する構成とすることもできる。
【００１８】
又優先制御部６は、回線パッケージ３−１，３−２にそれぞれ収容されている下位回線５対応のパケットを識別する機能を有し、制御信号線１０−１，１０−２を介した輻輳発生通知のポーズパケットの検出信号に含まれる送出元情報に対応して、送出元のインタフェース変換部に対するパケットの転送停止し、又輻輳解除通知のポーズパケットの検出信号に含まれる送出元情報に対応して、送出元のインタフェース変換部に対するパケットの転送再開を行う機能を有するものである。又優先度の異なるパケットが混在して転送される場合は、パケットの優先度を設定し、輻輳発生通知の検出信号に従って、その送出元情報に対応するインタフェース変換部へ転送するパケットの中の低優先度のパケットの転送中止を行う制御構成とすることもできる。又輻輳発生程度に従って、高優先度のパケットの転送中止を行った場合、輻輳解除通知の検出信号に従って、高優先度のパケットから転送開始を行う制御構成とすることができる。
【００１９】
又インタフェース変換部８−１１〜８−１ｎ，８−２１〜８−２ｎは、輻輳発生状態を複数段階で検出してポーズパケットにより通知する構成とすることができる。この複数段階の輻輳発生通知に対応して、優先制御部６は、低輻輳状態の場合は、低優先度のパケットの転送停止を行い、高輻輳状態の場合は、高優先度のパケットも含めて転送停止、即ち、送出元情報に対応するインタフェース変換部へのパケットの転送を停止し、その後の輻輳解除通知に対しては、高優先度のパケットを優先的に転送開始し、優先度の高いパケットの転送サービスを維持するように制御することもできる。又インタフェース変換部からのポーズパケットは、ポーズパケット検出部９−１１〜９−１ｎ，９−２１〜９−２ｎに於いて検出した後、廃棄するから、多重／分離部７−１，７−２との間のバックワイヤリングボード２を介した転送経路のトラフィックに影響を与えることがない利点がある。
【実施例２】
【００２０】
図２は、本発明の実施例２の説明図であり、図１と同一符号は同一名称部分を示し、６−１，６−２は、回線単位ＱｏＳ（Ｑｕａｌｉｔｙ  ｏｆ  Ｓｅｒｖｉｃｅ）機能部であり、回線パッケージ３−１，３−２対応に構成されている場合を示す。そして、下位回線５対応又はパケット種別対応に、高優先、高中優先、中低優先、低優先の何れかを設定することができる。この優先順位は、高、中、低の３段階或いは、高、低の２段階とすることも可能である。そして、インタフェース変換部８−１１〜８−１ｎ，８−２１〜８−２ｎの図示を省略したバッファメモリの蓄積量が所定値を超えた輻輳状態となると、輻輳発生通知のポーズパケットを生成して送出する。この輻輳発生通知のポーズパケットを、ポーズパケット検出部９−１１〜９−１ｎ，９−２１〜９−２ｎにより検出し、その輻輳発生通知のポーズパケットの送出元情報を含む検出信号を、制御信号線１０−１，１０−２を介して制御パッケージ１の優先制御部６に転送する。
【００２１】
優先制御部６は、輻輳発生通知のポーズパケットの送出元情報に従って、その送出元情報対応のインタフェース変換部を経由するパケットの転送を中止する。その場合に、パケットの優先順位に従って、例えば、低優先度のパケットの転送中止を行う。又複数段階の例えば高、高中、中低、低の４段階の輻輳発生通知を可能とした場合、ポーズパケット検出部９−１１〜９−１ｎ，９−２１〜９−２ｎは、ポーズパケットの送出元情報と共に、輻輳発生の段階情報を含む検出信号を、制御信号線１０−１，１０−２を介して優先制御部６に通知する。その場合、例えば、高中の段階の輻輳発生通知のポーズパケットを送出したインタフェース変換部に対しては、高優先度のパケットのみ転送し、それ以下の他の優先度のパケットの転送中止を行う。そして、ポーズパケット検出部９−１１〜９−１ｎ，９−２１〜９−２ｎにより輻輳解除通知のポーズパケットを検出した場合、その検出信号に従って、高中優先度のパケットから順次転送を開始する。それにより、パケットの優先度に対応した輻輳制御が可能となる。なお、回線パッケージ３−１，３−２は、更に多数設けることも可能であり、その回線パッケージに対応して回線単位ＱｏＳ機能部を設けることができる。
【実施例３】
【００２２】
図３は、本発明の実施例３の説明図であり、図１と同一符号は同一名称部分を示し、６−１ａ，６−２ａは、回線単位ＱｏＳ（Ｑｕａｌｉｔｙ  ｏｆ  Ｓｅｒｖｉｃｅ）機能部を示す。回線単位ＱｏＳ機能部６−１ａ，６−２ａは、回線パッケージ３−２，３−２対応の構成を有する場合を示し、輻輳発生時のパケット転送を中止するＶＬＡＮ（Ｖｉｒｔｕａｌ  Ｌｏｃａｌ  Ａｒｅａ  Ｎｅｔｗｏｒｋ）ＩＤ（Ｉｄｅｎｔｉｆｉｅｒ）を設定する。そして、輻輳発生通知のポーズパケットを、ポーズパケット検出部９−１１〜９−１ｎ，９−２１〜９−２ｎにより検出し、そのポーズパケットの送出元情報を含む検出信号を、制御信号線１０−１，１０−２を介して制御パッケージ１の優先制御部６へ転送する。優先制御部６は、回線単位ＱｏＳ機能部６−１ａ，６−２ａに設定されたＶＬＡＮＩＤ対応の上位回線４からのパケットの転送を中止する。
【００２３】
例えば、インタフェース変換部８−１１を送出元情報として付加した検出信号を、ポーズパケット検出部９−１１から制御信号線１０−１を介して制御パッケージ１の優先制御部６へ転送すると、優先制御部６は、送出元情報に従ったインタフェース変換部へのパケットについて、回線単位ＱｏＳ機能部６−１ａに設定されたＶＬＡＮＩＤ対応のパケットは、転送中止とする。この実施例３に於いては、輻輳発生時に、設定したＶＬＡＮＩＤ対応にパケットの転送を停止して、輻輳回避を行うものであるが、更に、優先度を含めて設定し、設定されたＶＬＡＮＩＤ対応のパケットの内、低優先度のパケットの転送を停止するように制御する構成とすることもできる。即ち、輻輳発生時のパケット転送中止の条件設定を、ＶＬＡＮＩＤと優先度とを含めることも可能である。
【図面の簡単な説明】
【００２４】
【図１】本発明の実施例１の説明図である。
【図２】本発明の実施例２の説明図である。
【図３】本発明の実施例３の説明図である。
【図４】従来例の説明図である。
【符号の説明】
【００２５】
１  制御パッケージ
２  バックワイヤリングボード（ＢＷＢ）
３−１，３−２  回線パッケージ
４  上位回線
５  下位回線
６  優先制御部
６−１，６−２，６−１ａ，６−２ａ  回線単位ＱｏＳ機能部
７−１，７−２  多重／分離部
８−１１〜８−１ｎ，８−２１〜８−２ｎ  インタフェース変換部
９−１１〜９−１ｎ，９−２１〜９−２ｎ  ポーズパケット検出部
１０−１，１０−２  制御信号線
【図１】
2009094971.tif 000003
【図２】
2009094971.tif 000004
【図３】
2009094971.tif 000005
【図４】
2009094971.tif 000006